(57)【特許請求の範囲】
【請求項１】
折りたたみ式眼鏡用のサイドピースであって、第１部分と、前記第１部分から離れた第２部分と、弾性ヒンジと、前記第２部分を前記第１部分に枢動可能に接続する弾性接続部材と、を備え；前記第１部分は、前記弾性ヒンジによってフロントレンズピースにヒンジ接続され；前記弾性接続部材は、眼鏡がかけられているときに前記第２部分をユーザーの頭部に対して付勢するが、第２部分の位置をユーザーの頭部の大きさに合わせるように前記サイドピースの長手方向に垂直な軸周りに前記第２部分が前記第１部分に対して外側に枢動できるようにし；前記弾性ヒンジは、前記サイドピースをアイドル位置の方へ付勢し、アイドル位置では、サイドピースがフロントレンズピースの方へ折りたたまれる、サイドピース。
【請求項２】
請求項１に記載のサイドピースであって、前記弾性接続部材は、弾性ヒンジ部材を備える、サイドピース。
【請求項３】
請求項２に記載のサイドピースであって、前記弾性ヒンジ部材は、可撓性のある材料を含む、サイドピース。
【請求項４】
請求項１〜３のいずれか１つに記載のサイドピースであって、第２部分は、サイドピースの長手方向軸周りに第１部分に対して回転できるように構成される、サイドピース。
【請求項５】
請求項１〜４のいずれか１つに記載のサイドピースであって、接触部材をさらに備え、接触部材は、第１および第２部分の周辺部に沿って少なくとも部分的に延び、ユーザーの頭部と摩擦係合するように構成される、サイドピース。
【請求項６】
請求項５に記載のサイドピースであって、接触部材は、可撓性のあるプラスチック材料を備え、可撓性のあるプラスチック材料は、接触部材がユーザーの頭部に接触するときに、前記摩擦係合を与える、サイドピース。
【請求項７】
請求項１〜６のいずれか１つに記載のサイドピースであって、中央部分と、リム部分と、を備え、リム部分は、中央部分から突出し、中央部分とリム部分とは、眼鏡の折りたたまれた状態においてレンズ部分を収納するための空間を共に定める、サイドピース。
【請求項８】
折りたたみ式眼鏡であって、請求項１〜７のいずれか１つに記載の２つのサイドピースと、フロントレンズピースと、を備え、サイドピースは、各弾性ヒンジによって前記フロントレンズピースのそれぞれの端部に接続され、前記眼鏡は、開いた、折りたたまれていない状態と、折りたたまれた状態と、を有し、開いた、折りたたまれていない状態では、２つのサイドピースがフロントレンズピースから離れるように延び、折りたたまれた状態では、サイドピースがフロントレンズピースの方へ折りたたまれる、折りたたみ式眼鏡。
【請求項９】
請求項８に記載の眼鏡であって、フロントレンズピースの少なくとも一部は、眼鏡が前記折りたたまれた状態にあるときに、サイドピースによって覆われる、眼鏡。
【請求項１０】
請求項８または９に記載の眼鏡であって、各サイドピースの中央部分とリム部分とにより定められる空間は、前記折りたたまれた状態においてフロントレンズピースを収納するように構成される、眼鏡。
【請求項１１】
請求項８〜１０のいずれか１つに記載の眼鏡であって、フロントレンズピースと２つのサイドピースとの間の各弾性ヒンジは、開いた、折りたたまれていない状態において、サイドピースをユーザーの頭部の方へ付勢するように構成される、眼鏡。
【請求項１２】
折りたたみ式眼鏡であって、２つのサイドピースを備え、
それぞれのサイドピースは、第１部分と、前記第１部分から離れた第２部分と、前記第２部分を前記第１部分に枢動可能に接続する弾性接続部材と、を備え；前記第１部分は、弾性ヒンジによってフロントレンズピースにヒンジ接続され；前記弾性接続部材は、眼鏡がかけられているときに前記第２部分をユーザーの頭部に対して付勢するが、第２部分の位置をユーザーの頭部の大きさに合わせるように前記サイドピースの長手方向に垂直な軸周りに前記第２部分が前記第１部分に対して外側に枢動できるようにし；前記弾性ヒンジは、前記サイドピースをアイドル位置の方へ付勢し、アイドル位置では、サイドピースがフロントレンズピースの方へ折りたたまれ、
前記フロントレンズピースは、右目レンズ部分と、左目レンズ部分と、を備え、前記レンズ部分は、中央ヒンジとロック装置とを有する中央ヒンジアセンブリによって相互接続される、
折りたたみ式眼鏡。
【発明の詳細な説明】
【技術分野】
【０００１】
本発明は、折りたたみ式眼鏡に関し、より詳細には、そのような折りたたみ式眼鏡のレンズフロントピースに加え、サイドピースに関する。
【背景技術】
【０００２】
折りたためる眼鏡であって、そのサイドピースによってだけでなく、レンズ間に配置されたヒンジ周りにも折りたためる眼鏡は、以前からある。眼鏡を様々に折りたたむことにより、眼鏡の寸法を縮小でき、壊れやすいレンズは、使用されていない間に外力から保護され得る。
【０００３】
そのような眼鏡の例は、特許文献１に開示され、特許文献１は、２つのレンズ間に折りたたみ機構を含む折りたたみ式眼鏡を示し、それは、レンズを内側に折りたたむことを可能にし、眼鏡が使用されていない時に、サイドピースによりレンズが保護され得るようになっている。また、サイドピースは、入れ子状に配置され、それにより、眼鏡は、折りたたまれたときに小型化した大きさを有することができる。しかしながら、この既知の構造は、折りたたまれていない状態、すなわちユーザーが使用している時、において剛性でなく、それは眼鏡がその形状を維持しないことを意味する。既知の眼鏡は、折りたたまれた状態にある時に、安全に固定されず、それは、眼鏡の一部が落ちるまたは開くかもしれず、従って外力から保護されなくなることを意味する。
【０００４】
従来の眼鏡の別の問題は、先に記述された眼鏡にも当てはまるが、サイドピースが互いに固定距離で取り付けられるので、特定の頭部寸法向けにのみ設計されていることである。
【０００５】
さらなる背景技術は、特許文献２に反映され、特許文献２は、可撓性のある波形を有する眼鏡サイドピースを開示している。これらの波形の問題は、それらは、サイドピースを２方向に曲げることができるが、サイドピース間の幅より大きい頭部寸法に適応するのに適しているだけであることである。別の問題は、サイドピースが外側へ曲がる時に、サイドピースの一部が、ユーザーの頭部との望ましくない接触を生じさせる場合があることである。
【０００６】
さらに別の例は、特許文献３に開示され、折りたたみ式眼鏡が示され、レンズは、折りたたまれた状態で眼鏡の部分により保護され得る。しかしながら、眼鏡は、折りたたまれた状態で安全に固定されず、それは、眼鏡が開くことがあるまたは一部が落ちることがあることを意味し、レンズが損傷され得る。
【０００７】
特許文献４に開示されている折りたたみ式読書用眼鏡は、同じような問題を抱える。さらなる背景技術は、特許文献５および特許文献６に開示されている。
【先行技術文献】
【特許文献】
【０００８】
【特許文献１】国際公開第２０１０／０２２９００Ａ１号
【特許文献２】米国特許出願公開第２０１０／００５３５４６号明細書
【特許文献３】米国特許出願公開第２０１２／０２２４１３６号明細書
【特許文献４】米国特許出願公開第２００９／０１９００８８号明細書
【特許文献５】米国特許第６０４８０６２号明細書
【特許文献６】米国特許４７２０１８６号明細書
【発明の概要】
【発明が解決しようとする課題】
【０００９】
本発明の目的は、上記の問題を緩和することができる、新しい種類の眼鏡、特に新しい種類の読書用眼鏡、および関連部品を提供することである。この目的は、添付の独立クレームで定義される技術、関連従属クレームで定義されている望ましい実施形態、によって達成される。
【課題を解決するための手段】
【００１０】
本発明の１つの様相では、折りたたみ式眼鏡用のサイドピースは、フロントレンズピースにヒンジ結合するように構成される第１部分と、ユーザーの頭部を押圧するように構成される第２部分と、第１および第２部分間の弾性移行部分と、を備える。この構造の利点は、サイドピースが、その形状をユーザーの頭部の寸法および形状に応じて使用中に調整することである。
【００１１】
本発明の代替的実施形態では、第２部分は、サイドピースの長手方向軸周りに第１部分に対して回転可能なように構成される。これは、その結果、サイドピースがユーザーの頭部の大きさだけでなくその形状にも適合できるので、有利である。
【００１２】
別の実施形態では、弾性移行部分は、第１および第２部分間に長手方向軸に沿って延びるブリッジを備え、第１部分、ブリッジおよび第２部分が、一体に成形される。この構造は、第１および第２部分が一体として取り扱われ得るので、製造プロセスに際して有利である。
【００１３】
さらに別の実施形態では、第１部分は、第１部分をフロントレンズピースに接続するように構成される弾性ヒンジをさらに備え、弾性ヒンジは、アイドル位置の方へ付勢されることができ、アイドル位置では、サイドピースがフロントレンズピースの方へ折りたたまれる。弾性ヒンジは、サイドピースが、小さい頭部寸法、すなわち頭部の幅が２つのサイドピース間の距離より小さい場合、にも適応できるようにするので、有利である。
【００１４】
実施形態では、サイドピースは、接触部材を備え、接触部材は、第１および第２部分の周辺部に沿って少なくとも部分的に延び、ユーザーの頭部と摩擦係合するように構成される。この設計は、サイドピースとユーザーの頭部との接触を示し、サイドピースが、今日のほとんどの眼鏡のようにユーザーの耳の周りにかけられることなく、所定の位置にあり続けるようになっているので、有利である。
【００１５】
別の実施形態では、接触部材は、可撓性のあるプラスチック材料を備え、可撓性のあるプラスチック材料は、ユーザーの頭部と接触する時に、前記の摩擦係合を与える。これは、接触部材が、ユーザーの頭部を押圧するときにユーザーにソフトな感触を与え、また摩擦によりサイドピースをユーザーの頭部に固定する、という利点をもたらす。
【００１６】
本発明のさらに別の実施形態では、サイドピースは、中央部分およびリム部分を備え、リム部分は、中央部分から突出し、中央部分およびリム部分は、眼鏡の折りたたまれた状態においてレンズ部分を収納するための空間を共に定める。レンズ部分を収納するための空間は、非使用時に、レンズ部分を、レンズを損傷し得るほこりや外力から保護する。
【００１７】
本発明の別の様相では、眼鏡用のフロントレンズピースが提供される。フロントレンズピースは、右目レンズ部分および左目レンズ部分を備え、右目レンズ部分および左目レンズ部分は、中央ヒンジおよびロック装置を有する中央ヒンジアセンブリによって相互接続される。この構造の利点は、フロントレンズピースの形状および延在が、それがユーザーの顔に適合され、フロントレンズピースが１つの位置にロックされ得るように、中央ヒンジおよびロック装置により調節され得ることである。
【００１８】
実施形態では、右目レンズ部分および左目レンズ部分は、中央ヒンジを中心にして、互いに向かって折りたたまれてよい。これによって、フロントレンズピースは、使用していない時にほこりや外力から保護され得る。
【００１９】
別の実施形態では、フロントレンズピースは、少なくとも２つの磁石をさらに備え、少なくとも１つの磁石は、各レンズ部分の一端に位置し、磁石は、レンズ部分が折りたたまれた位置にある時に、互いに接触する。この設計は、折りたたまれた位置において確実なロック機構を提供するので、有利である。
【００２０】
本発明のさらに別の様相では、２つのサイドピースおよび上述の種類のフロントレンズピースを備える眼鏡が提供される。この新しい構造の眼鏡は、上記で説明された利点を有する。眼鏡は開閉が容易であり、新しい設計により、眼鏡は、使用が容易で快適である。
【００２１】
代替的実施形態では、フロントレンズピースと２つのサイドピースとの間のそれぞれの接続には、弾性コーナーヒンジが備えられ、弾性コーナーヒンジは、サイドピースをユーザーの頭部の方へ付勢するように構成される。これは、サイドピースが常にユーザーの頭部の方へ押していることを意味し、それは、ユーザーの頭部の幅が２つのサイドピース間の距離より小さいと、特に有利である。それは、眼鏡が使用されていないときに、サイドピースが常に折りたたまれた位置にあることも意味する。
【００２２】
様相では、折りたたみ式眼鏡が提供され、折りたたみ式眼鏡は、従来技術に比べ改良され、２レンズフロントピースを備え、２つのサイドピースが、弾性コーナーヒンジによって２レンズフロントピースに枢動可能に接続される。フロントピースは、中央ヒンジアセンブリを有し、中央ヒンジアセンブリにより、フロントピースは、レンズがサイドピースによって間に保持されて保護される位置に、折りたたまれることができる。各サイドピースは、弾性コーナーヒンジによってフロントレンズピースに接続された第１部分と、サイドピースの自由端部分を形成する第２部分と、第１および第２部分間の弾性移行部分と、を有する。弾性コーナーヒンジおよび２つのサイドピースの弾性移行部分により、眼鏡は、使用時に確実な方法で所定の位置に保持される。サイドピースがユーザーの頭部の側部に押し付けられるからである。
【００２３】
別の様相では、右目レンズ部分および左目部分を含むフロントレンズピースを備える折りたたみ式眼鏡が提供される。レンズ部分は、中央ヒンジおよびロック装置を有する中央ヒンジアセンブリにより、相互接続される。眼鏡は、２つのサイドピースをさらに備え、２つのサイドピースのそれぞれは、前記のフロントレンズピースにヒンジ結合する第１部分と、弾性移行部分によりユーザーの頭部を押圧するように構成された第２部分と、を有し、弾性移行部分は、前記の第１サイドピース部分と前記の第２サイドピース部分との間に配置される。
【００２４】
添付の図面について言及されて、本発明の実施形態は、以下で記述される。
【図面の簡単な説明】
【００２５】
【図１】開いた、展開状態における本発明の実施形態による眼鏡の透視図である。
【図２】図１の眼鏡の下面図である。
【図３ａ】ユーザーに装着された図１‐２の眼鏡を示す。
【図３ｂ】ユーザーに装着された図１‐２の眼鏡を示す。
【図３ｃ】ユーザーに装着された図１‐２の眼鏡を示す。
【図４】実施形態の１つによる中央ヒンジアセンブリを含む図１における眼鏡の正面図である。
【図５】図１の眼鏡のサイドピースの内側の側面図である。
【図６】半折りたたみ状態における図１の眼鏡の透視図である。
【図７】完全に折りたたまれた状態における図１の眼鏡の上面図である。
【図８】図１の眼鏡の上面図であり、眼鏡の一端は完全に折りたたまれた状態にあり、他端はわずかに開いている。
【図９ａ】第１実施形態による、眼鏡のロック装置を含む中央ヒンジアセンブリを示す。
【図９ｂ】第１実施形態による、眼鏡のロック装置を含む中央ヒンジアセンブリを示す。
【図９ｃ】第１実施形態による、眼鏡のロック装置を含む中央ヒンジアセンブリを示す。
【図９ｄ】第１実施形態による、眼鏡のロック装置を含む中央ヒンジアセンブリを示す。
【図１０ａ】第２実施形態による中央ヒンジアセンブリを示す。
【図１０ｂ】第２実施形態による中央ヒンジアセンブリを示す。
【図１１ａ】第３実施形態による中央ヒンジアセンブリを示す。
【図１１ｂ】第３実施形態による中央ヒンジアセンブリを示す。
【図１２ａ】第４実施形態による中央ヒンジアセンブリを示す。
【図１２ｂ】第４実施形態による中央ヒンジアセンブリを示す。
【図１２ｃ】第４実施形態による中央ヒンジアセンブリを示す。
【図１３ａ】第５実施形態による中央ヒンジアセンブリを示す。
【図１３ｂ】第５実施形態による中央ヒンジアセンブリを示す。
【図１３ｃ】第５実施形態による中央ヒンジアセンブリを示す。
【図１４ａ】第６実施形態による中央ヒンジアセンブリを示す。
【図１４ｂ】第６実施形態による中央ヒンジアセンブリを示す。
【図１４ｃ】第６実施形態による中央ヒンジアセンブリを示す。
【図１４ｄ】第６実施形態による中央ヒンジアセンブリを示す。
【図１５ａ】実施形態によるホルダーを示す。
【図１５ｂ】実施形態によるホルダーを示す。
【図１５ｃ】実施形態によるホルダーを示す。
【図１６ａ】代替的実施形態によるホルダーを示す。
【図１６ｂ】代替的実施形態によるホルダーを示す。
【図１６ｃ】代替的実施形態によるホルダーを示す。
【図１７ａ】代替的実施形態によるホルダーを示す。
【図１７ｂ】代替的実施形態によるホルダーを示す。
【図１７ｃ】代替的実施形態によるホルダーを示す。
【図１８ａ】ユーザーに装着された本発明の代替的実施形態による眼鏡を示す。
【図１８ｂ】ユーザーに装着された本発明の代替的実施形態による眼鏡を示す。
【図１８ｃ】ユーザーに装着された本発明の代替的実施形態による眼鏡を示す。
【図１８ｄ】ユーザーに装着された本発明の代替的実施形態による眼鏡を示す。
【図１９ａ】実施形態によるロックフックアセンブリを示す。
【図１９ｂ】実施形態によるロックフックアセンブリを示す。
【図１９ｃ】実施形態によるロックフックアセンブリを示す。
【図２０】代替的実施形態によるサイドピースを示す。
【図２１】さらに別の代替的実施形態によるサイドピースを示す。
【図２２】また別の代替的実施形態によるサイドピースを示す。
【発明を実施するための形態】
【００２６】
図１では、実施形態による、眼鏡１０、望ましくは読書用眼鏡が、ユーザーが彼／彼女の頭部に装着し得る状態で、示される。この状態は、今後、開いたまたは展開状態と言う。眼鏡１０は、２つのサイドピース２０ａ，２０ｂおよびフロントレンズピース３０を備える。サイドピース２０ａ，２０ｂは、それぞれ、ヒンジ２５、望ましくはコーナーヒンジにより、フロントピース３０の各端部に接続される。
【００２７】
２つのサイドピース２０ａ，２０ｂは、フロントピース３０に隣接する第１部分２１と、第１部分２１から延びてフロントピース３０から離れている第２部分２２と、を含む。部分２１，２２のどちらも、例えばＣ字型に類似する断面を有してよく、第１部分２１の延在部は、第２部分２２の延在部より短くてよい。部分２１，２２は、剛性または半剛性プラスチック材料、アルミニウムなどの金属材料、またはいくらか可撓性のある材料から成ってよい。第１および第２部分２１，２２の形状を、以下でさらに記述する。
【００２８】
第１および第２部分２１，２２間に移行部分があり、ここでは、第１および第２部分２１，２２を接続する弾性部材２３という形であり、第１部分２１、第２部分２２および弾性部材２３がサイドピース２０ａ，２０ｂを共に形成するようになっている。弾性部材２３の代替は、ヒンジまたは別のタイプのジョイント（図示せず）であってよい。弾性部材２３は、可撓性のある材料、望ましくはゴムまたはプラスチック材料であり、それは、アイドル位置にスプリングバックする性能を有する。この場合、アイドル位置は、第１部分２１、第２部分２２および弾性部材２３が、図１に示されるように、基本的に直線に沿って延びるときである。示される実施形態では、弾性部材２３は、第１および第２部分２１，２２の断面の幅と同じ厚さを有する。弾性部材２３は、サイドピース２０ａ，２０ｂにスプリングバック効果を提供し、第１部分２１と第２部分２２の長さが異なると、スプリングバック効果は変わり得る。別の実施形態（図示せず）では、第１部分２１、第２部分２２および弾性部材２３は、そのアイドル位置で曲がった形を有してよい。
【００２９】
代替的実施形態では、サイドピース２０ａ，２０ｂは一体に成形され、弾性部材２３は、リセス（図示せず）を含んでよく、リセスは、例えば断面でＶの形状を有してよい。リセスは、その周囲部より少ない材料で弾性部材２３の領域を形成し、この領域は、弾性部材２３にスプリングバック効果を提供する。別の実施形態では、弾性部材は、弾性機械的ヒンジ（図示せず）であってよく、さらに別の実施形態では、サイドピースは、可撓性のある材料において一体に形成されてよく、可撓性のある材料は、またスプリングバック効果をもたらし、サイドピースがその形状をユーザーの頭部の大きさおよび形状に応じて適合できるようにする。サイドピースがそれぞれ一体に形成される実施形態では、サイドピースは、移行部分を含んでよく、その形状および材料は、サイドピースにそのスプリングバック効果を提供する。この効果は、眼鏡１０がユーザーの頭部に装着されている図３で説明される。従って、各サイドピース２０ａ，２０ｂは、２つの部分２１，２２を備え、２つの部分２１，２２は、サイドピース２０ａ，２０ｂが使用時にユーザーの頭部Ｈを押圧するようにヒンジ接続され、眼鏡１０が効果的に所定の位置に保たれるようになっている。
【００３０】
第１部分２１、第２部分および弾性部材２３の周辺または縁の周囲に少なくとも部分的に、接触部材２４（図５）が設けられ、接触部材２４は、サイドピース２０ａ，２０ｂの一部を形成し、ユーザーの頭部Ｈと接触する。接触部材２４は、可撓性のある材料から成り、サイドピース２０ａ，２０ｂの形が変化した時に、接触部材２４が壊れないようになっている。従って、接触部材２４の材料は、望ましくは、柔軟でフレキシブルであるべきであり、また、ユーザーの皮膚と接触部材２４との相互作用が、眼鏡１０がユーザーの所定の位置にあり続けることを可能にする、増加する摩擦または摩擦係合をもたらすような性質を有するべきである。例えば、接触部材２４の材料は、ゴムまたはプラスチック材料である弾性部材２３と同じであってよい。
【００３１】
各サイドピース２０ａ，２０ｂは、その第１部分２１をフロントピース３０に接続するための弾性ヒンジ２５をさらに備え、弾性ヒンジ２５は、望ましくは第１部分２１の一端に配置される。弾性ヒンジ２５は、ばね（図示せず）を含んでよく、サイドピース２０ａ，２０ｂは、弾性ヒンジ２５を中心にして関節接合されてよい。弾性ヒンジ２５および弾性ヒンジ２５に接続されたフロントピース３０の端部は、第１部分２１のリセス（図示せず）内に位置する。
【００３２】
本発明の代替的実施形態（図示せず）では、弾性ヒンジ２５は、インターロック手段をさらに備えてよく、インターロック手段は、図１に示される位置においてサイドピース２０ａ，２０ｂをロックするように構成される。インターロック手段は、溝またはリセスおよび対応するリブまたはボスを備えてよく、対応するリブまたはボスは、溝／リセスに収納され、関連するサイドピースがフロントレンズピース３０の方へ折り返るのを防ぐ。インターロック手段は、サイドピースをフロントレンズピース３０から広げることによってロックされてよく、サイドピースの側面を穏やかに押す、または弾性ヒンジ２５の上および／または下を押圧することによって、アンロックされてよい。インターロック手段がアンロックされるとすぐに、弾性ヒンジ２５は、サイドピースにその望ましいスプリングバック効果を提供する。インターロック手段は、ユーザーがそれから眼鏡を広げることができ、それを彼／彼女の頭部に片手だけでかけることができるので、有利である。
【００３３】
第２部分２２は、グリップ要素２６（図２）を任意に含んでよく、グリップ要素２６は、接触部材２４と同じ材料から成ってよく、望ましくは楔の形状を有する。グリップ要素２６は、第２部分２２の自由端に位置し、望ましくはユーザーの皮膚を強く押し、補足的接触位置を提供し、眼鏡１０が使用中に所定の位置にあり続けるようにする。また、第２部分２２は、その自由端の近くに開口２７を任意に含んでよく、開口２７により、ストラップまたはキーホルダー等用の留め具（図１５ｃおよび１６ｃを参照）を確実に取り付けることができるようになる。
【００３４】
さらに、眼鏡１０は、フロントレンズピース３０の真中に位置する中央ヒンジアセンブリ４０（図４）を含む。中央または鼻ヒンジアセンブリ４０は、中央ヒンジ４１およびロック装置４２を備え、フロントレンズピース３０が中央ヒンジ４１を中心にして折りたたまれ得る。以下、この構造について詳述する。
【００３５】
図２は、眼鏡１０を展開状態で示し、２つのサイドピース２０ａ，２０ｂは、第１部分２１、第２部分２２および弾性部材２３の位置に関し、アイドル位置にある。しかしながら、２つのサイドピース２０ａ，２０ｂは、フロントピース３０に関して弾性ヒンジ２５が張力を受ける位置にあり、張力は、２つのサイドピース２０ａ，２０ｂを、静止状態、すなわちサイドピース２０ａ，２０ｂがフロントピース３０の延在部に沿って近くに位置する状態、にする。この張力は、サイドピース２０ａ，２０ｂからユーザーの頭部Ｈに対し、穏やかな圧力を与える。
【００３６】
図３ａ〜ｃでは、眼鏡１０はユーザーの頭部Ｈに装着され、その中央ヒンジアセンブリ４０が、ユーザーＨの鼻Ｎの領域の周りにあり、２つのサイドピース２０ａ，２０ｂは、それらの形状を、ユーザーの頭部Ｈの形状および大きさに準拠して、合わせている。サイドピース２０ａ，２０ｂの第２部分は、弾性部材２３により、アイドル位置から外側へ、傾斜しまたは傾いており、弾性部材２３に力が加えられ、サイドピース２０ａ，２０ｂをユーザーの頭部Ｈに押圧する。第２部分２２をユーザーの頭部Ｈに押圧する力を生じさせるために、第１部分２１は、９０°未満の角をフロントピース３０と形成するべきであり、望ましくは、６５°〜８０°の角α、または、ユーザーの頭部Ｈの大きさに合わせる時に、第２部分２２を外側に傾かせる角度である。望ましくは、第２部分２２は外側へ傾くべきであり、第１および第２部分２１，２２間の角βが、１８０°より大きく、望ましくは１９０°‐２２０°に、なっている。
【００３７】
さらに、弾性ヒンジ２５に加えられた力は、展開状態で、ユーザーの頭部Ｈへの圧力を与える。頭部Ｈに加わるこの全圧は、使用中に眼鏡１０がユーザー上で滑るまたはユーザーから落ちるのを、防ぐ。サイドピース２０ａ，２０ｂは、当然任意の長さであってよいが、図１‐８に示される実施形態では、サイドピース２０ａ，２０ｂは、後ろにユーザーのこめかみに延び、ユーザーの耳Ｅ（既知の眼鏡の場合のように）に依存せず、ユーザーの耳Ｅでは、サイドピース２０ａ，２０ｂが使用中に圧力も加える。既知の眼鏡（図示せず）によくあるように、ユーザーの耳Ｅの後ろに延びるようになっていてもよい。既知の眼鏡は、後ろにユーザーの耳の上部の周りに延びるサイドピースを有し、それは、ユーザーの鼻にあるフロントレンズピースの位置が、ユーザーの耳の位置および形状に依存することを意味する。本眼鏡１０は、望ましくは読書用眼鏡として使用されるので、ユーザーは、眼鏡の上端越しに見ることができ、それを外さずにさらに遠くを見ることができることを望む。それ故、眼鏡の望ましい実施形態は、ユーザーのこめかみの領域までだけ延びるサイドピースを有し、それは、ユーザー自身が眼鏡を使用している間にサイドピースの位置を選んでよいことを意味する。
【００３８】
中央ヒンジアセンブリ４０およびそのロック装置４２は、使用している間にレンズ部分３１，３２が折り重ならないように、レンズ部分３１，３２をロックするように構成される。ロック装置４２は、ユーザーのニーズおよびフロントレンズピース３０の幅の彼／彼女の要望に応じて、異なる位置でレンズ部分３１，３２をロックしてよい。図３ａでは、第２角δは、ユーザーにより彼／彼女のニーズで調節され得る角の例を示す。望ましくは、角δは、１６０°〜１９０°の間で異なってよい。
【００３９】
図４に関し、眼鏡１０のフロントピース３０は、右目レンズ部分３１および左目レンズ部分３２を備え、右目レンズ部分３１および左目レンズ部分３２は、この実施形態では同一であり反転しているが、他の実施形態では互いに異なる形状を有してよい。２つのレンズ部分３１，３２の間に、中央ヒンジアセンブリ４０が設けられる。中央ヒンジアセンブリ４０は、上記で説明したように、２つのレンズ部分３１，３２間に中央ヒンジ４１およびロック装置４２を備え、中央ヒンジ４１は、レンズ部分３１，３２が中央ヒンジ４１周りに関節接続されることを可能にし、ロック装置４２は、レンズ部分３１，３２を特定位置でしっかりロックできる。
【００４０】
ロック装置４２は、レンズ部分３１，３２がロックされるアイドル位置と、部分３１，３２がアンロックされる第２位置と、を有し、第２位置では、ロック装置４２は常にそのアイドル位置になろうとする。従って、ロック装置４２は、例えばレンズ部分３１，３２の（例えば図９ｂにおける１３１ａによって示される）表面と接触するアイドル位置にスナップロックすることにより、レンズ部分３１，３２を、部分３１，３２が上から見て基本的に直線を形成する位置でロックする。この表面は、ロック装置４２がそのアイドル位置から離れるのを防ぐ。ロック装置４２をアンロックする時は、ユーザーは、ロック装置４２を、それからレンズ部分３１，３２を、容易に解放し得る。別の実施形態では、ロック装置４２は、ロック装置４２がスナップを外すように、レンズ部分３１，３２の１つを穏やかに押すことにより、アンロックされてよい。中央ヒンジ４１およびロック装置４２を含む中央ヒンジアセンブリ４０は、例えば図１にも見られる。代替的実施形態では、ロック装置４２は、直線とは異なる位置でレンズ部分３１，３２をロックしてよい。
【００４１】
上述したように、フロントピース３０は、サイドピース２０ａ，２０ｂの第１部分２１の端部で弾性ヒンジ２５により、サイドピース２０ａに接続される。フロントピース３０がサイドピース２０ａ，２０ｂに接続される２つの端部の近くに、レンズ部分３１，３２はどちらも磁石３５を備える。これらの磁石３５の機能は、例えば図７を参照して説明される。
【００４２】
図５は、サイドピース２０ａ，２０ｂの１つの内側を示し、それは、望ましくは他のサイドピース２０ａ，２０ｂと同一である。各サイドピース２０ａ，２０ｂは、中央部分２８および周辺リム部分２９を有することからも説明されてよく、中央部分２８は、第１および第２部分２１，２２ならびに弾性部材２３の一部で構成されてよく、周辺リム部分２９は、中央部分２８の周囲に少なくとも部分的に、望ましくは中央部分２８の周囲全体に、延びる。接触部材２４は、サイドピース２０ａ，２０ｂおよび接触部材２４が異なる材料から成ると、例えば接着剤によりリム部分２８に取り付けられ、２つの長辺の周囲、および弾性ヒンジ２５が位置する短辺と反対側の短辺の周囲に延びる。リム部分２９は、中央部分２８の片側から突出し、中央部分２８およびリム部分２９が共にサイドピース２０ａ，２０ｂの空間を定めるようになっている。この空間の形状は、眼鏡が折りたたまれた時に、サイドピース２０ａ，２０ｂのそれぞれの空間が１つのレンズ部分３１，３２の少なくとも一部を囲むように、設計される。望ましくは、両サイドピース２０ａ，２０ｂが、レンズ部分３１，３２および中央ヒンジアセンブリ４０の両方を完全に囲み、フロントレンズ部分３０は覆われて外力から保護される。中央部分２８、リム部分２９およびそれらの機能は、図６および７でさらに説明される。
【００４３】
眼鏡１０の半折りたたみ状態が図６に示され、ロック装置４２はアンロックされ、２つのレンズ部分３１，３２は、中央ヒンジ４１を中心に内側へ折りたたまれている。レンズ部分３１，３２を折りたたむ間、２つのサイドピース２０ａ，２０ｂは、互いに向かって押され、リム部分２９および各サイドピース２０ａ，２０ｂの２つの端部が、図７に示されるように、眼鏡１０が折りたたまれた状態になるまで、対応するリム部分２９および他のサイドピース２０ａ，２０ｂの端部に向かって移動する。
【００４４】
従って、図７は、完全に折りたたまれた状態における２つのサイドピース２０ａ，２０ｂを示し、２つのレンズ部分３１，３２を含むフロントレンズピース３０および中央ヒンジアセンブリ４０の全体が、２つのサイドピース２０ａ，２０ｂによって包み込まれる。一端（図７における下端）で、２つのサイドピース２０ａ，２０ｂの２つの自由端は、レンズ部分３１，３２に位置する磁石３５により、互いに係合する。この実施形態では、係合は、フロントレンズピース３０の各側に１つの磁石３５を備えるが、代替的実施形態では、いくつかの磁石を備えてよく、さらに別の実施形態では、係合は、一方に配置された１つだけの磁石、および例えば他方に配置された金属部分を備えてもよい。
【００４５】
図８は、眼鏡１０の状態を示し、一端（図８における下端）が、わずかに開いている。眼鏡１０は、ノートまたはマネークリップ、タイピン、あるいは２つの細長い部材間のクランプ効果を利用する大きさの任意のアクセサリーとしても使用され得るので、幅広い用途を有する。磁石３５は、ばね付勢と同様に、これらの他の用途にとり、強固な係合を形成する。折りたたまれた状態では眼鏡１０は小さいので、ユーザーはそれを見つけにくいと感じることがある。この係合により、ユーザーが、折りたたまれた眼鏡を、彼／彼女がなくさないように、シャツのポケットまたは同種のものに取り付けることができるようになる。
【００４６】
図９ａ‐９ｂでは、２つのレンズ部分１３１，１３２、および第１実施形態によるロック装置１４２を含む中央ヒンジアセンブリ１４０が、示される。図９ａ‐９ｂは、ロック装置１４２をそのロック状態で示すのに対し、図９ｃおよび９ｄは、ロック装置１４２をそのアンロック状態で示す。ロック装置１４２をアンロックするために、ユーザーは、ラグ１４３がレンズ部分１３１との相互作用から解放されるように、矢印Ａ１の方向にロック装置１４２のラグ１４３を押す（図９ｂにおいてロック装置１４２の右側が左に押されるべきである）。ロック装置１４２は、当然レンズ部分１３１のいずれかに配置されてよく、レンズ部分１３１，１３２の１つを穏やかに押し、それから中央ヒンジ１４１を中心にしてレンズ部分１３１，１３２を折りたたむことにより、アンロックされてもよい。
【００４７】
図１０ａ‐１０ｂは、２つのレンズ部分２３１，２３２に一体化し得る第２実施形態によるロック装置２４２を示す。レンズ部分２３２の１つは、２つの端部２４３ａ，２４３ｂを備えてよく、２つの端部２４３ａ，２４３ｂは、図１０ｂに示される突起２４４ａ，２４４ｂをどちらも含む。他のレンズ部分２３１は、２つのリセス２４６ａ，２４６ｂを含む１つの端部２４５を有してよく、２つのリセス２４６ａ，２４６ｂは、ロック装置２４２のロック状態（図１０ｂに示される）において２つの突起２４４ａ，２４４ｂと相互作用する。ロック装置２４２をアンロックするために、ユーザーは、突起２４４ａ，２４４ｂがリセス２４６ａ，２４６ｂから解放されるように、１つのレンズ部分２３１，２３２を矢印Ａ２，Ａ３，Ａ４の方向に穏やかに押す。３つの端部２４３ａ，２４３ｂ，２４５は、中央ヒンジ２４１周りに回転されてよく、中央ヒンジ２４１は、全ての部分２４３ａ，２４３ｂ，２４５を通る。
【００４８】
図１１ａ‐１１ｂでは、第３実施形態によるロック装置３４２が示され、レンズ部分３３２の１つは、２つの端部３４３ａ，３４３ｂを含み、他のレンズ部分３３１は、１つの突き出た端部３４４を含む。１つのレンズ部分３３２の２つの端部３４３ａ，３４３ｂの左端部３４５ａ，３４５ｂは、アイドル状態で少し外側へ曲がっているまたは傾いている。ロック状態では、少し曲がった端部３４５ａ，３４５ｂは、他のレンズ部分３３１の突き出た端部３４４の底部に位置する２つの斜めの表面３４６ａ，３４６ｂと相互作用している。ロック装置３４２をアンロックするために、ユーザーは、２つの端部３４５ａ，３４５ｂが表面３４６ａ，３４６ｂとの相互作用から解放されるように、少し曲がった端部３４５ａ，３４５ｂを、図１１ａにおける矢印Ａ５，Ａ６が示すように、互いの方へ押す、またはロック装置３４２をさらなる圧力によりアンロックさせる。ユーザーは、それから、図１１ｂに示されるようにレンズ部分３３１，３３２を折りたたんでよい。３つの端部３４３ａ，３４３ｂ，３４４は、中央ヒンジ３４１周りに回転されてよく、中央ヒンジ３４１は、全ての部分３４３ａ，３４３ｂ，３４４を通る。
【００４９】
図１２ａ‐ｃは、第４実施形態によるロック装置４４２を示し、ロック装置４４２は、レンズ部分４３１，４３２の１つ（これらの図では左目レンズ部分４３２）に配置され、２つのレンズ部分４３１，４３２は、中央ヒンジ４４１により互いに接続されている。ロック状態では、第１ラグ４４３（図１２ｃでは右側）は、レンズ部分４３１の１つと相互作用する。ロック装置４４２をアンロックするために、ユーザーは、第１ラグ４４３がレンズ部分４３１から解放されるように、第２ラグ４４４を矢印Ａ７の方向に押す（図１２ｃでは、ロック装置４４２の左ラグ４４４が左に押される）、第１ラグ４４３を矢印Ａ８の方向に押す、またはフロントレンズ部分３０の片側で圧力を強めることによりロック装置４４２をアンロックさせる。ロック装置４４２は、弾性部材４４５を含み、弾性部材４４５は、ロック装置４４２がロック状態の時に、アイドル状態であり、従って、ユーザーが第２ラグ４４４を左に引いた時に、ロック装置４４２をそのアイドル状態に戻る方向に押す。
【００５０】
図１３ａ‐ｃでは、第５実施形態によるロック装置５４２が示され、ロック装置５４２は、スナップロック手段５４３の一種を備え、スナップロック手段５４３は、図１３ｂに示されるロック状態にスナップし、中央ヒンジ５４１により回転可能に配置される。ロック装置５４２をアンロックするために、ユーザーは、図１３ｂに示される矢印Ａ９の方向にスナップロック手段５４３を押す、またはレンズ部分５３１，５３２の１つでの圧力を増加させることによりロック装置３２４をアンロックさせ、その後、スナップロック手段５４３を、レンズ部分５３１，５３２の１つとの係合から解放するであろう。
【００５１】
図１４ａ‐ｄは、第６実施形態によるロック装置６４２を示し、ロック装置６４２は変位要素６４３を備え、変位要素６４３は、中央ヒンジ６４１周りに配置された２つのレンズ部分６３１，６３２をロックする。図１４ａ‐ｂは、ロック装置６４２をそのロック状態で示し、変位要素６４３は、中央ヒンジ６４１の上部に、ロック装置６４２の上部で上へわずかに突き出ている変位要素６４３は、この状態では、図１４ｂに示されるように、レンズ部分６３１，６３２の両方と接触し、レンズ部分６３１，６３２がこの位置でロックされるようになっている。図１４ｃ‐ｄは、ロック装置６４２をそのアンロック状態で示す。ロック装置６４２をアンロックするために、変位要素６４３は、変位要素６４３の下部がレンズ部分６３１，６３２の１つとのみ接触するように、押し下げられてよく、あるいは押し下げられて回転されてよい。変位要素６４３は、ロック装置６４２がロック状態の時に、そのアイドル状態になるように、例えばばね６４４によってロック装置６４２に弾性接続される。
【００５２】
様々な実施形態のロック装置は、プラスチック、金属または任意の他の適切な材料から成ってよく、全て、眼鏡１０に取り付けられている別個の装置であってよく、あるいは２つのレンズ部分３１，３２に組み込まれてよい。ロック装置は、違う位置でレンズ部分をロックするように配置されてもよい。
【００５３】
図１５ａ‐ｃを参照し、実質的にＴ字型のホルダー５０が説明され、ホルダー５０は、望ましくは金属製であり、取付部分５１を有し、折りたたまれた位置でサイドピース２０ａ，２０ｂ間に配置され、ストラップＳ、キーホルダー（図示せず）または同種のものを、突き出たリング部分５２によって保持する。ホルダー５０の取付部分５１には、実質的に矩形の開口５３があり、開口５３は、フロントレンズピース３０に位置する磁石３５の形状に対応する形状を有し、フロントレンズピース３０が折りたたまれてユーザーがホルダー５０をサイドピース２０ａ，２０ｂ間に挿入した時に、磁石３５が依然として互いに接触し得るようになっている。折りたたまれた状態では、ホルダー５０は、サイドピース２０ａ，２０ｂ間に固定され、ユーザーが、キーまたは同種のものを、落とす危険性なくキーホルダーに取り付け得るようになっている。キーホルダーは、ユーザーのニーズに応じて、ストラップＳまたは同種のものに置き換えられてよい。また、金属素材は、磁石３５に引かれるので、ホルダー５０がサイドピース２０ａ，２０ｂ間の位置にあり続けるのに有用となる。
【００５４】
図１６ａ‐ｃでは、望ましくはプラスチック材料製の、代替的実施形態によるホルダー１５０が示される。ホルダー１５０は、矩形の取付部分１５１と、突き出たリング部分１５２と、を備える。取付部分１５１は、フロントピース３０の磁石３５に適合する開口１５３を有し、リング部分１５２は、ストラップＳ、キーホルダーまたはそのようなものを保持するように構成される。ホルダー１５０は、２つのショルダー１５４ａ，１５４ｂをさらに備え、ショルダー１５４ａ，１５４ｂは、部分１５１，１５２間でホルダー１５０の側部に位置する。ショルダー１５４ａ，１５４ｂは、ショルダー１５４ａ，１５４ｂの側部１５５ａ，１５５ｂが、サイドピース２０ａ，２０ｂの内面にはまり込むように、弾性ヒンジ２５が位置するサイドピース２０ａ，２０ｂの端部と磁石３５との間の空間に適合する。ユーザーが眼鏡１０を折りたたむ時に、ホルダー１５０は所定の位置にあり続け、キーまたは同種のものがホルダー１５０に掛けられてよい。
【００５５】
図１７ａ‐ｃを参照し、別の代替的実施形態によるホルダー２５０が示される。ホルダー２５０は、取付部分２５１、および突き出たリング部分２５２を備え、リング部分２５２は、ストラップＳ、キーホルダーまたは同種のものを保持するように構成される。リング部分２５２および取付部分２５１は、先の実施形態とは異なる設計である。特に、取付部分２５１は、開口を有しないが、Ｖ字型部分２５３を備え、Ｖ字型部分２５３は、サイドピース２０ｂの端部に接続するのが容易である。これは、磁石３５が効果的に露出することを意味し、折りたたまれた状態でロック効果が改良される。図１７ｃ参照。取付部分２５１のＶ字型部分２５３により、サイドピース２０ａ，２０ｂが共に折りたたまれた後で、ホルダー２５０を取り付けることも可能になる。ユーザーは、眼鏡を広げずに、図１７ｃにおいて矢印が示すように、ホルダー２５０を、所定の位置に入るまで、サイドピース２０ａ，２０ｂ間へ単に押すことができる。
【００５６】
図１８ａおよび１８ｂを参照し、第２実施形態による眼鏡１１０が示される。眼鏡１１０は、上述の第１実施形態と同様に、２つのサイドピース１２０ａ，１２０ｂと、フロントレンズピース１３０と、中央ヒンジアセンブリ１４０と、を含む。この実施形態では、サイドピース１２０ａ，１２０ｂは、弾性部材１２３においても弾性ヒンジ１２５においても異なる付勢がもたらされ、それは、眼鏡１１０に異なった外観を与えるが、サイドピース１２０ａ，１２０ｂの第２部分１２２がなおユーザーの頭部Ｈを押圧するに際し同じ機能を与える。
【００５７】
弾性ヒンジ１２５のアイドル位置は、フロントレンズピース１３０と第１部分１２１との間に約９０°の角αが形成される時であり、弾性部材１２３のアイドル位置は、第１および第２部分１２１，１２２間に、１８０°未満、望ましくは１６０°前後の角βが形成される時である。
【００５８】
眼鏡１１０により、例えば大きな頭部を有するユーザーに代替的眼鏡が提供される。角αが９０°未満でなくてもよいため、サイドピース１２０ａ，１２０ｂ間の距離、特に２つの対応する弾性部材１２３間の距離を、第１実施形態における同様の距離よりも長くできるからである。
【００５９】
さらに、本発明の全ての実施形態は、図１９ａ‐ｃに説明される任意のロックフックアセンブリ６０を含んでよい。ロックフックアセンブリ６０は、望ましくは、サイドピース２０ａ，２０ｂの第２部分２２に、または弾性部材２３の近くに、配置される。ロックフックアセンブリ６０は、細長い中間部分６２によって互いに接続される２つのロックフック６１ａ，６１ｂを備え、２つのロックフック６１ａ，６１ｂと中間部分６２とは、別部品としてまたは一体に製造されてよい。ロックフック６１ａ，６１ｂおよび中間部分６２は、サイドピース２０ａ，２０ｂの内側に配置され、リム部分２９の下部から、中央部分２８に沿ってリム部分２９の上部まで延びる。ロックフック６１ａ，６２ｂは、レンズ部分３１，３２をつかむように構成され、レンズ部分３１，３２は、折りたたまれた状態において、サイドピース２０ａ，２０ｂの中央部分２８およびリム部分２９により定められる空間内に配置されている。ロックフックアセンブリ６０は、さらなる安全機能を提供する。１つのレンズ部分３１，３２がサイドピース２０ａ，２０ｂの領域内に折りたたまれている図１９ｃに見られるように、レンズ部分３１，３２は、折りたたまれた状態で所定の位置に保たれるからである。
【００６０】
さらに、ロックフックアセンブリ６０は、２つのグリップ部分６３ａ，６３ｂを備え、２つのグリップ部分６３ａ，６３ｂは、リム部分２９の上方および下方の外面に位置し、望ましくは、直接ロックフック６１ａ，６１ｂに接するか、それらの近くにある。グリップ部分６３ａ，６３ｂは、望ましくは、ロックフック６１ａ，６１ｂをレンズ部分３１，３２から、ユーザーが例えば彼／彼女の人差し指および親指によりそれらを穏やかに押す際に、アンロックするように構成される。
【００６１】
ロックフックアセンブリ６０の一部は、ゴム、プラスチックまたは金属材料から成ってよく、サイドピース２０ａ，２０ｂのどこにでも置かれてよい。
【００６２】
図２０は、代替的実施形態によるサイドピース２２０ｂを説明する。サイドピース２２０ｂは、先に記述されたサイドピース２０ａ，２０ｂ，１２０ａ，１２０ｂと類似しており、第１部分２２１、第２部分２２２、接触部材２２４、および弾性ヒンジ２２５を備え、弾性ヒンジ２２５は、サイドピース２２０ｂをフロントピース２３０に接続し、その左目レンズ部分２３２が図１９に示される。違いは移行部分２２３内にあり、移行部分２２３は、この実施形態では、ブリッジ２２３ａおよび関連する弾性部材２２３ｂを備える。望ましくは、弾性部材２２３ｂは、例えばプラスチックまたはゴムである、可撓性のある材料で作られ、上記および図における直線状矢印で説明されるようにサイドピース２３０ｂにそのスプリングバック効果を提供するように構成される。ブリッジ２２３ａは、第１および第２部分２２１，２２２間で、移行部分２２３の中間部に配置され、サイドピース２２０ｂの長手方向軸Ａに沿って延びる。ブリッジ２２３ａの形状および大きさにより、矢印により示されるように、第１部分２２１に対して第２部分２２２を回転させることができるようになる。この傾動により、サイドピース２２０ｂは、ユーザーの頭部の大きさおよび形状に容易に適合し得る。これは、眼鏡を使用している時に、サイドピース２２０ｂがユーザーに非常に快適なフィット感をもたらすことを意味する。
【００６３】
さらに、ブリッジ２２３ａは、弾性部材２２３ｂがより可撓性のある材料で作られることを可能にし、それは、サイドピース２２０ｂに十分な弾性および有効なスプリングバック効果を提供し得る。ブリッジ２２３ｂは、スムーズで効率的な製造プロセスにも寄与する。ブリッジ２２３ｂは第１および第２部分２２１，２２２と一体に成形されるが、プロセス中にブリッジ２２３ｂは２つの部分２２１，２２２を一緒に保持するからであり、それは、異なる部分２２１，２２２の位置を固定するための手段が必要ないことを意味する。
【００６４】
図２１は、代替的移行部分３２３を含むさらに別のサイドピース３２０ｂを説明し、先の実施形態のブリッジ２２３ａは省略されている。移行部分３２３はＩ字型であり、２つの幅広部分３２３ｂは、より硬いおよびより軟らかいプラスチックの間、すなわち第１／第２部分３２１／３２２と移行部分３２３との間の密着性を強めるように構成される。これは、先の実施形態のように望ましいスプリングバック効果および回転運動を有しながらも耐摩耗性である、丈夫なサイドピース３２０ａを作り出す。
【００６５】
図２２は、さらに別の移行部分４２３を含む別の代替的サイドピース４２０ｂをさらに示し、移行部分４２３は、より矩形の形状を有する。矩形の形状は、第１／第２部分４２１／４２２と移行部分４２３との間の密着性をさらに強める。
【００６６】
発明概念は、上記で例として挙げられた実施形態に限られたものではなく、添付のクレームにより表現される創意内で変更が実現であることが、特筆される。例えば、サイドピースおよびその第１および第２部分の長さおよび形状は、ユーザーのニーズに応じるように変化してよい。フロントレンズピースの寸法についても同様である。
【図１】
0006546093.tif 000002
【図２】
0006546093.tif 000003
【図３ａ】
0006546093.tif 000004
【図３ｂ】
0006546093.tif 000005
【図３ｃ】
0006546093.tif 000006
【図４】
0006546093.tif 000007
【図５】
0006546093.tif 000008
【図６】
0006546093.tif 000009
【図７】
0006546093.tif 000010
【図８】
0006546093.tif 000011
【図９ａ】
0006546093.tif 000012
【図９ｂ】
0006546093.tif 000013
【図９ｃ】
0006546093.tif 000014
【図９ｄ】
0006546093.tif 000015
【図１０ａ】
0006546093.tif 000016
【図１０ｂ】
0006546093.tif 000017
【図１１ａ】
0006546093.tif 000018
【図１１ｂ】
0006546093.tif 000019
【図１２ａ】
0006546093.tif 000020
【図１２ｂ】
0006546093.tif 000021
【図１２ｃ】
0006546093.tif 000022
【図１３ａ】
0006546093.tif 000023
【図１３ｂ】
0006546093.tif 000024
【図１３ｃ】
0006546093.tif 000025
【図１４ａ】
0006546093.tif 000026
【図１４ｂ】
0006546093.tif 000027
【図１４ｃ】
0006546093.tif 000028
【図１４ｄ】
0006546093.tif 000029
【図１５ａ】
0006546093.tif 000030
【図１５ｂ】
0006546093.tif 000031
【図１５ｃ】
0006546093.tif 000032
【図１６ａ】
0006546093.tif 000033
【図１６ｂ】
0006546093.tif 000034
【図１６ｃ】
0006546093.tif 000035
【図１７ａ】
0006546093.tif 000036
【図１７ｂ】
0006546093.tif 000037
【図１７ｃ】
0006546093.tif 000038
【図１８ａ】
0006546093.tif 000039
【図１８ｂ】
0006546093.tif 000040
【図１９ａ−１９ｂ】
0006546093.tif 000041
【図１９ｃ】
0006546093.tif 000042
【図２０】
0006546093.tif 000043
【図２１】
0006546093.tif 000044
【図２２】
0006546093.tif 000045